【手続補正書】
【提出日】平成29年1月27日(2017.1.27)
【手続補正１】
【補正対象書類名】特許請求の範囲
【補正対象項目名】全文
【補正方法】変更
【補正の内容】
【特許請求の範囲】
【請求項１】
プラスチック容器（１４）が中に配置されたボール箱（４０）を有する容器において、前記プラスチック容器と一体化した部分である第１固定要素（３２）が、前記箱のボール紙によって画成された間隙の中に配置され、それにより前記箱の内部での前記容器の移動を制限し、
前記間隙は少なくとも部分的に、前記箱の前記第１跳ね蓋（４８）、前記第２跳ね蓋（４４）及び第３跳ね蓋（４６）の間に画成され、前記第１跳ね蓋及び前記第１固定要素が対面接触し、前記第１跳ね蓋は前記第１固定要素を覆い、
前記第２跳ね蓋が前記第１固定要素の下に配置され、前記第１固定要素の下面が前記第２跳ね蓋の上面と対面接触し、
前記第３跳ね蓋が、前記第２跳ね蓋と実質的に平行に延在し、前記第３跳ね蓋が前記第１固定要素の下にあり、前記第１固定要素の下面が前記第３跳ね蓋の上面と対面接触し、
前記箱ボールが第４跳ね蓋（５０）を含んでなり、前記第４跳ね蓋は前記第１跳ね蓋と平行に延在し、前記第４跳ね蓋が前記第１固定要素と接触せず、前記第４跳ね蓋は前記第２跳ね蓋及び第３跳ね蓋を覆う、
容器（１０）。
【請求項２】
前記第１固定要素（３２）は、使用中の液体を含有する前記容器の一部の外側に配置され、かつ、使用中の液体を収容する前記容器の前記一部の少なくとも一部を含んでなる一体成型品の構成要素である、請求項１に記載の容器。
【請求項３】
前記第１固定要素（３２）が長尺状であり、容器の第１の側の長さに沿って少なくとも５０％、適切に少なくとも８５％延在することと、前記第１固定要素の幅に対する前記第１固定要素の長さの比が５以上かつ３０未満であり、幅に対する前記第１固定要素の厚さの比が５〜２０の範囲内にあることとのうちの少なくとも一方を要件とする、請求項１又は２に記載の容器。
【請求項４】
前記第１跳ね蓋（４８）は、前記箱の開放、閉鎖、及び組み立てのうちの少なくとも１つを行う間、開放位置と閉鎖位置の間で回転可能であり、前記第１跳ね蓋は、前記第１跳ね蓋が接触する前記第１固定部材の面の領域より大きい領域を有する面を有し、前記第１
跳ね蓋が、前記第１固定要素の最大幅より大きい最大幅を有し、前記第２跳ね蓋（４４）は、前記箱の開放、閉鎖、及び組み立てのうちの少なくとも１つを行う間、開放位置と閉鎖位置の間で回転可能であり、前記第３跳ね蓋が、前記箱の開放、閉鎖、及び組み立てのうちの少なくとも１つを行う間、開放位置と閉鎖位置の間で回転可能であり、前記第４跳ね蓋は前記第１跳ね蓋に対して前記箱の反対側に定められた軸の周りを回転可能である、請求項１〜４のいずれか一項に記載の容器。
【請求項５】
前記間隙中の前記第１固定要素の保持を促すためにテープ（５２）が前記ボール箱に貼り付けられ、前記テープが前記第１跳ね蓋と第４跳ね蓋の間に画成された接触領域を横切って貼り付けられる、請求項１〜４のいずれか一項に記載の容器。
【請求項６】
前記第１跳ね蓋の前記最大幅の、前記第１固定要素の最大幅に対する比率は、１．５〜５の範囲にある、請求項１〜５のいずれか一項に記載の容器。
【請求項７】
第２固定要素（３４）が前記プラスチック容器に関連付けられ、前記箱のボール紙によって画成された第２間隙の中に配置され、それにより、前記箱の内部での前記容器の移動を制限するさらなる手段を前記第１固定要素に加えて提供し、前記第１及び第２固定要素が互いに実質的に平行に延在し、互いに対角線上に反対側にある、請求項１〜６のいずれか一項に記載の容器。
【請求項８】
前記第２固定要素（３４）は、使用中液体を含有する前記容器の一部の外側に配置され、前記第１の側の対角線上に反対側である前記容器の側の長さに沿って少なくとも５０％延在し、前記第２固定要素の幅に対する前記第２固定要素の長さの比が５以上かつ３０未満である、請求項７に記載の容器。
【請求項９】
前記第２間隙は少なくとも部分的に前記箱の第５跳ね蓋によって画成され、前記第５跳ね蓋は、前記箱の開放、閉鎖、及び組み立てのうちの少なくとも１つを行う間、開放位置と閉鎖位置の間で回転可能である、請求項７又は８に記載の容器。
【請求項１０】
前記第２間隙が、少なくとも部分的に、前記箱の前記第５跳ね蓋と第６跳ね蓋の間に画成され、前記第６跳ね蓋は、前記箱の開放、閉鎖、及び組み立てのうちの少なくとも１つを行う間、開放位置と閉鎖位置の間で回転可能である、請求項９に記載の容器。
【請求項１１】
前記プラスチック容器（１４）は、第２固定要素を含んでなり、前記第１及び第２要素が長尺状であり、互いに平行に延在し、対角線上に反対側にあり、前記第２固定要素が一方の側の第５跳ね蓋と反対側の第６及び第７跳ね蓋との間に配置される、請求項１〜１０のいずれか一項に記載の容器。
【請求項１２】
前記プラスチック容器（１４）が自立型でない、請求項１〜１１のいずれか一項に記載の容器。
【請求項１３】
請求項１〜１２のいずれか一項に記載の容器中の液体製剤を製造するための方法において、
（ｉ）請求項１〜１２のいずれか一項に記載の容器（１０）を選択するステップと、
（ｉｉ）第１構成製剤を前記容器の前記プラスチック容器に分配するように分配装置を操作するステップと、
（ｉｉｉ）前記第１構成製剤と異なる第２構成製剤を前記容器の前記プラスチック容器に分配するように前記分配装置を操作するステップと、
（ｉｖ）任意選択的に、さらなる構成製剤を前記プラスチック容器に分配するようにステップ（ｉｉｉ）を繰り返すステップであって、前記さらなる構成製剤が互いに異なるス
テップと
を備える、方法。
【請求項１４】
容器支持体及び、該容器支持体に取り付けられた請求項１〜１２のいずれか一項に記載の容器のための混合装置において、前記容器支持体は、
（ｉ）前記容器の第１表面と対面接触する第１表面を有し、プラットフォームが適切である、第１部材（８２）、
（ｉｉ）前記第１表面に対して垂直な方向に延在する、第２部材（６８）の第２表面であって、前記容器の第２表面と対面接触し、かつ前記容器の前記第１表面に対して垂直な方向に延在する、前記第２表面を有する第２部材（６８）、
（ｉｉｉ）前記第１表面に対して垂直な方向に延在する、第３部材（６８）の第３表面であって、前記容器の前記第１表面に対して垂直な方向に延在し、かつ前記容器の第３表面と対面接触し、前記容器の前記第３表面は前記容器の前記第１表面に垂直に延伸するとともに、前記第２表面の方向と反対の方向に適切に面する、前記第３表面を有する第３部材（６８）、
（ｉｖ）前記第１表面に対して垂直な方向に延在し、かつ、前記容器の第４表面と対面接触する、第４部材（７０）の第４表面であって、前記容器の前記第４表面は前記容器の前記第１表面に対して垂直な方向に延在する、前記第４表面を有する第４部材（７０）、
（ｖ）前記第１表面に対して垂直な方向に延在し、かつ、前記容器の第５表面と対面接触する、第５部材（８４）の第５表面であって、前記容器の前記第５表面は前記容器の前記第１表面に対して垂直な方向に延在する、前記第５表面を有する第５部材（８４）、
（ｖｉ）前記第２、第３、第４及び第５表面に対して垂直な方向に延在し、かつ、前記容器の第６表面と対面接触する、第６部材（９２）の第６表面であって、前記第１表面と反対の方向に面する第６表面を有する第６部材（９２）、
を含んでなる容器支持体を含む、混合装置。
【請求項１５】
前記容器支持体は前記第１表面、第２表面、第３表面、第４表面、第５表面、及び第６表面の間の位置に前記容器を締め付けるためのクランプを含んでなり、前記クランプは前記第６表面（９２）を含んでなり、該第６表面は前記容器を一定の位置に締め付けるためのクランプ力を加えるように構成された第１位置と、前記クランプ力を解放する第２位置との間を移動可能であり、前記第１位置において、前記第６部材の前記第６表面は前記容器の前記第６表面の面積の少なくとも５０％を覆うように配置される、請求項１４に記載の混合装置。